(57)【要約】【課題】吐出具を容器体から容易に取外せる吐出容器を提供する。【解決手段】本発明に係る吐出容器１は、吐出具４が、下部アンカー８が係止段部３ｍに係止した状態から、操作部６ｈを上方へ操作して吐出具４を傾け、上部アンカー１０を上部壁３ｎに押しつけると、上部アンカー１０及び下部アンカー８が後方に変形することで、容器体２からの取外しが可能となるように構成されていることを特徴とする。【選択図】図１３
2018140834.tif 000002
【特許請求の範囲】
【請求項１】
ステムを有する容器体と、
前記容器体に装着され、前記ステムの前方で上方に延びる前壁を有する固定盤と、
上部アンカー及び該上部アンカーの下方に位置する下部アンカーを前方に有すると共に操作部を後方に有する吐出具とを備え、
前記前壁は、前記下部アンカーを係止可能な係止段部と、該係止段部の上方に連なる上部壁とを有し、
前記吐出具は、前記下部アンカーを前記上部壁に押しつけて後方に変形させることで、前記ステムに向けて下降することが可能となり、前記ステムに接続すると前記下部アンカーが前方に変形して前記係止段部に係止するように構成され、また、
前記吐出具は、前記下部アンカーが前記係止段部に係止した状態では、前記操作部を下方へ操作すると、前記ステムを押下げ、前記ステムから流出する内容物を吐出するように構成され、さらに、
前記吐出具は、前記下部アンカーが前記係止段部に係止した状態から、前記操作部を上方へ操作して前記吐出具を傾け、前記上部アンカーを前記上部壁に押しつけると、前記上部アンカー及び前記下部アンカーが後方に変形することで、前記容器体からの取外しが可能となるように構成されていることを特徴とする吐出容器。
【請求項２】
前記下部アンカーは、下部ヒンジと、該下部ヒンジを介して揺動可能であると共に前記係止段部に係止可能な係止壁とを有する、請求項１に記載の吐出容器。
【請求項３】
前記下部アンカーには、補助凸部が連なっており、
前記補助凸部は、前記係止壁が前記係止段部に係止した状態から、前記係止壁が前記下部ヒンジを介して前方に揺動すると、前記固定盤に当接して前記係止壁の更なる揺動を阻止するように、前記係止壁から下方に延びている、請求項２に記載の吐出容器。
【請求項４】
前記上部アンカーは、上部ヒンジと、該上部ヒンジを介して揺動可能であると共に前記下部アンカーと係合可能な係合壁とを有し、
前記吐出具は、前記下部アンカーが前記係止段部に係止した状態から、前記操作部を上方へ操作して前記吐出具を傾け、前記上部アンカーを前記上部壁に押しつけると、前記係合壁が前記上部ヒンジを介して後方に揺動し、前記下部アンカーと係合することで、前記下部アンカーを後方に変形した状態に保持するように構成されている、請求項１〜３のいずれか一項に記載の吐出容器。
【請求項５】
前記係止壁は、前記下部ヒンジから前方に延びる底壁と、該底壁から前方且つ上方に延びると共に前記係止段部に係止可能な傾斜壁と、前記底壁から上方に延びる係合凸部とを有し、
前記上部アンカーは、上部ヒンジと、該上部ヒンジを介して揺動可能であると共に前記係合凸部と係合可能な係合壁とを有する、請求項２又は３に記載の吐出容器。
【請求項６】
前記容器体は、少なくとも１つのエアゾール容器である、請求項１〜５のいずれか一項に記載の吐出容器。
【請求項７】
前記容器体は、側方に並ぶ２つのステムを有する、請求項１〜６のいずれか一項に記載の吐出容器。
【請求項８】
前記容器体は、側方に並ぶ２つのステムを有する１つのエアゾール容器である、請求項１〜７のいずれか一項に記載の吐出容器。
【請求項９】
前記操作部は、指掛け部を有する、請求項１〜８のいずれか一項に記載の吐出容器。
【請求項１０】
前記吐出具は、前記内容物を吐出する吐出口と、該吐出口から吐出した前記内容物を塗布可能な塗布部とを有する、請求項１〜９のいずれか一項に記載の吐出容器。
【発明の詳細な説明】
【技術分野】
【０００１】
本発明は、吐出容器に関する。
【背景技術】
【０００２】
ステムを有する容器体と、ステムに接続されて内容物を吐出可能な吐出具とを備える吐出容器が知られている。このような吐出容器は、例えば、特許文献１に記載されように、吐出具がステムの前方で揺動可能に容器体に支持され、吐出具の後方に設けられた操作部を下方に操作すると吐出具が押下げられるように構成されることがある。
【先行技術文献】
【特許文献】
【０００３】
【特許文献１】特開２００７−３２０６０３号公報
【発明の概要】
【発明が解決しようとする課題】
【０００４】
特許文献１に記載されるような吐出容器は、例えば複数回に分けて使用するため等の目的で、吐出具を洗浄することがある。その際に、吐出具を容器体から容易に取外せると都合が良い。
【０００５】
本発明は、このような点に鑑みなされたもので、吐出具を容器体から容易に取外せる吐出容器を提供することを目的とする。
【課題を解決するための手段】
【０００６】
本発明に係る吐出容器は、
ステムを有する容器体と、
前記容器体に装着され、前記ステムの前方で上方に延びる前壁を有する固定盤と、
上部アンカー及び該上部アンカーの下方に位置する下部アンカーを前方に有すると共に操作部を後方に有する吐出具とを備え、
前記前壁は、前記下部アンカーを係止可能な係止段部と、該係止段部の上方に連なる上部壁とを有し、
前記吐出具は、前記下部アンカーを前記上部壁に押しつけて後方に変形させることで、前記ステムに向けて下降することが可能となり、前記ステムに接続すると前記下部アンカーが前方に変形して前記係止段部に係止するように構成され、また、
前記吐出具は、前記下部アンカーが前記係止段部に係止した状態では、前記操作部を下方へ操作すると、前記ステムを押下げ、前記ステムから流出する内容物を吐出するように構成され、さらに、
前記吐出具は、前記下部アンカーが前記係止段部に係止した状態から、前記操作部を上方へ操作して前記吐出具を傾け、前記上部アンカーを前記上部壁に押しつけると、前記上部アンカー及び前記下部アンカーが後方に変形することで、前記容器体からの取外しが可能となるように構成されていることを特徴とする。
【０００７】
また、本発明に係る吐出容器では、前記下部アンカーは、下部ヒンジと、該下部ヒンジを介して揺動可能であると共に前記係止段部に係止可能な係止壁とを有することが好ましい。
【０００８】
また、本発明に係る吐出容器では、
前記下部アンカーには、補助凸部が連なっており、
前記補助凸部は、前記係止壁が前記係止段部に係止した状態から、前記係止壁が前記下部ヒンジを介して前方に揺動すると、前記固定盤に当接して前記係止壁の更なる揺動を阻止するように、前記係止壁から下方に延びていることが好ましい。
【０００９】
また、本発明に係る吐出容器では、前記上部アンカーは、上部ヒンジと、該上部ヒンジを介して揺動可能であると共に前記下部アンカーと係合可能な係合壁とを有し、
前記吐出具は、前記下部アンカーが前記係止段部に係止した状態から、前記操作部を上方へ操作して前記吐出具を傾け、前記上部アンカーを前記上部壁に押しつけると、前記係合壁が前記上部ヒンジを介して後方に揺動し、前記下部アンカーと係合することで、前記下部アンカーを後方に変形した状態に保持するように構成されていることが好ましい。
【００１０】
また、本発明に係る吐出容器では、
前記係止壁は、前記下部ヒンジから前方に延びる底壁と、該底壁から前方且つ上方に延びると共に前記係止段部に係止可能な傾斜壁と、前記底壁から上方に延びる係合凸部とを有し、
前記上部アンカーは、上部ヒンジと、該上部ヒンジを介して揺動可能であると共に前記係合凸部と係合可能な係合壁とを有することが好ましい。
【００１１】
また、本発明に係る吐出容器では、前記容器体は、少なくとも１つのエアゾール容器であることが好ましい。
【００１２】
また、本発明に係る吐出容器では、前記容器体は、側方に並ぶ２つのステムを有することが好ましい。
【００１３】
また、本発明に係る吐出容器では、前記容器体は、側方に並ぶ２つのステムを有する１つのエアゾール容器であることが好ましい。
【００１４】
また、本発明に係る吐出容器では、前記操作部は、指掛け部を有することが好ましい。
【００１５】
さらに、本発明に係る吐出容器では、前記吐出具は、前記内容物を吐出する吐出口と、該吐出口から吐出した前記内容物を塗布可能な塗布部とを有することが好ましい。
【発明の効果】
【００１６】
本発明によれば、吐出具を容器体から容易に取外せる吐出容器を提供することができる。
【図面の簡単な説明】
【００１７】
【図１】（ａ）は、本発明の一実施形態に係る吐出容器を示す一部側面断面図である。（ｂ）は、（ａ）の矢印Ａに沿って視た平面図である。（ｃ）は、（ａ）の矢印Ｂに沿って視た一部断面平面図である。
【図２】図１の吐出容器を示す一部断面正面図である。
【図３】図１の吐出容器を示す側面図である。
【図４】図１のＣ−Ｃ線に沿う一部断面上面図である。
【図５】図１に示す固定盤を示す上方斜視図である。
【図６】図１に示す吐出具の接続部材を示す上方斜視図であり、成形時の状態を示す。
【図７】図１に示す吐出具の接続部材を示す下方斜視図であり、成形時の状態を示す。
【図８】図１に示す吐出具のノズル部材を示す上方斜視図である。
【図９】図１に示す吐出具のノズル部材を示す下方斜視図である。
【図１０】図１の吐出容器において、吐出具を容器体に取付ける前の状態を示す一部側面断面図である。
【図１１】図１の吐出容器において、吐出具を容器体に取付ける途中の状態を示す一部側面断面図である。
【図１２】図１の吐出容器において、吐出具を容器体に取付けた状態を示す一部側面断面図である。
【図１３】図１の吐出容器において、吐出具を容器体から取外す途中の状態を示す一部側面断面図である。
【発明を実施するための形態】
【００１８】
以下、図１〜図１３を参照して、本発明の一実施形態に係る吐出容器１について詳細に例示説明する。本明細書において、吐出容器１の上方とは、吐出容器１を起立させた状態での上方を意味し、下方とはその反対方向を意味する。また、本明細書では、吐出容器１の前方とは、上下方向と直交する方向のうち、ステム２ａから視て前壁３ｌが位置する側を意味し、後方とはその反対側を意味する。すなわち、本明細書において、吐出容器１の前後方向は、固定盤３の前壁３ｌの位置に応じて説明の便宜上定めたものにすぎず、吐出容器１の用途や特性等から定まる前後方向を意味するものではない。
【００１９】
図１〜図４に示すように、本実施形態に係る吐出容器１は、容器体２と、固定盤３と、吐出具４とを備えている。本例では、吐出具４は、接続部材５と、ノズル部材６と、塗布部材７とを有している。なお、吐出具４は、本例では、内容物を吐出する吐出口７ａと、該吐出口７ａから吐出した内容物を塗布可能な塗布部７ｂとを有しており、塗布部７ｂは、環状に配列された複数の突起からなるブラシで構成されているが、例えば櫛歯など、ブラシ以外で構成される塗布部７ｂを有していてもよく、また、このような塗布部７ｂを有さずに、例えば、吐出口７ａのみを有する構成であってもよい。また、本例では、内容物は、クリーム状又は泡状に吐出される毛染め液としているが、その他の任意の用途に用いられる任意の成分を有するものであってよい。
【００２０】
容器体２は、図１、図２に示すように、本例では、側方に並ぶ２つのステム２ａを有する１つのエアゾール容器であり、ステム２ａを押下げることで開弁させて、封入された加圧媒体のガス圧で内容物をステム２ａから流出させることができる。本例では、２つのステム２ａから流出する内容物は、互いに異なる成分を有しており、この２種類の内容物を互いに混合することで、毛染め液としての効果を発現するようになっている。しかし、２つのステム２ａから互いに同じ成分の内容物を流出させる構成としてもよい。また、容器体２は、１つのステム２ａをそれぞれ有する２つのエアゾール容器で構成してもよい。さらに、容器体２は、エアゾール容器に限らず、例えば、ステムを押下げることで内容物をステムから流出させるポンプを有する容器で構成してもよい。
【００２１】
容器体２は、有底円筒状の外容器２ｂにおけるテーパ状をなす上部に、マウンティングカップの巻締めによって形成された径方向に円環状に突出する環状凸部２ｃを有している。環状凸部２ｃの上方には、環状凸部２ｃより縮径した略円筒状の外周面を有する環状突出部２ｄが連なっている。環状突出部２ｄの上方には、環状突出部２ｄの直径と同じ長さの長軸を有する上面視略長円形状の上部突起２ｅが連なっている。上部突起２ｅの上面には、その長軸方向（左右方向）に２つのステム２ａが並べて配置されている。
【００２２】
固定盤３は、図１、図２に示すように、本例では、略円環状の外周壁３ａを有している。外周壁３ａには径方向内側に延び、環状凸部２ｃの上面に当接する円環状の内向きフランジ３ｂが連なっている。外周壁３ａにおける内向きフランジ３ｂより下方の部分には、環状凸部２ｃの下部に係止する係止突起（図示省略）が設けられている。このように、固定盤３は、内向きフランジ３ｂと前記係止突起とを介して、環状凸部２ｃに上下方向に抜け止め保持されている。内向きフランジ３ｂの内周縁には、円筒状の内壁３ｃが立設されている。内壁３ｃの上端には、上部突起２ｅにおける長軸を挟む両側面（前面及び後面）とその下方に連なる環状突出部２ｄの上面とに当接する一対の位置決め片３ｄが連なっている。したがって、固定盤３は、一対の位置決め片３ｄを介して、上部突起２ｅに対する周方向の回転を阻止されている。
【００２３】
本例では、外周壁３ａの両側面には、図３に示すように、それぞれ、矩形状の係合窓３ｅを有する操作片３ｆが設けられている。一対の操作片３ｆは、それぞれ、外周壁３ａに形成された矩形状の開口内に配置されると共に、該開口の縁部に前後方向に並ぶ２つの連結部３ｇを介して連結されている。各操作片３ｆは、その下部に押圧操作部３ｈを有している。そして、各操作片３ｆは、押圧操作部３ｈを押し込むと、連結部３ｇを介して揺動し、係合窓３ｅが左右方向外側に退避して、係合窓３ｅと吐出具４の側方係合凸部４ａとの係合が外れるようになっている。図４、図５に示すように、外周壁３ａにおける各操作片３ｆより上方の部分は、吐出具４の側方係合凸部４ａを上下方向に通過可能とするために、左右方向外側に張り出すように湾曲した湾曲部３ｉとされている。
【００２４】
また、本例では、外周壁３ａにおける後部は、図１、図５に示すように、吐出具４における後部に設けられた後部案内壁６ｋを案内することが可能な案内部３ｊとされている。案内部３ｊは、その下部が、上方に向かって後方に張り出すように湾曲しており、その上部は、上下方向に垂直に延在している。
【００２５】
さらに、本例では、外周壁３ａにおける前部には、図１、図５に示すように、正面視矩形状の開孔３ｋが設けられている。したがって、本例では、外周壁３ａにおける前部により、ステム２ａの前方で上方に延びる前壁３ｌが構成されている。そして、この前壁３ｌに設けられた開孔３ｋによって、吐出具４の後述する下部アンカー８を係止可能な係止段部３ｍが構成されている。また、外周壁３ａにおける開孔３ｋの上方に連なる部分により、係止段部３ｍの上方に連なる上部壁３ｎが構成されている。なお、係止段部３ｍは、開孔３ｋに限らず、例えば、外周壁３ａの内周面に形成した凹部によって構成してもよい。なお、本例では、固定盤３は、樹脂の射出成形によって形成されている。
【００２６】
接続部材５は、図１、図２、図６、図７に示すように、ステム２ａにそれぞれ嵌合する２つの嵌合筒５ａを有している。嵌合筒５ａの径方向内側には、ステム２ａの上面に当接すると共に中央に貫通孔を有する当接壁５ｂが連なっている。２つの嵌合筒５ａの上端は、底部壁５ｃの下面に連なっている。底部壁５ｃの上面には、上面視円環状をなす嵌合周壁５ｄが立設されている。嵌合周壁５ｄの周方向内側には、２つの嵌合筒５ａの当接壁５ｂに形成された前記貫通孔が配置されている。また、嵌合周壁５ｄの周方向内側において、中央で前後方向に延びる平板状の支持リブ５ｅが底部壁５ｃの上面に立設されている。
【００２７】
底部壁５ｃにおける両側部には、それぞれ、ノズル部材６の後述する上部側方凸部６ｄと嵌合することで吐出具４の側方係合凸部４ａを形成する下部側方凸部５ｆが設けられている。各下部側方凸部５ｆは、上部側方凸部６ｄを前後方向に挟むように配置される一対の位置決め凸部５ｇを有している。一対の位置決め凸部５ｇと上部側方凸部６ｄとが係合することで、接続部材５に対するノズル部材６の位置ずれが規制される。
【００２８】
また、底部壁５ｃにおける後部には、後部ヒンジ５ｈを介して係止爪５ｉが連なっている。図６に示すように、接続部材５は、その成形時において係止爪５ｉが後方に向けて延びており、係止爪５ｉの上面には嵌合リブ５ｊが立設されている。底部壁５ｃにおける後部の上面には、嵌合リブ５ｊを挟持可能に配置された一対の挟持リブ５ｋが立設されており、係止爪５ｉを後部ヒンジ５ｈを介して上方に回動させることで、嵌合リブ５ｊを一対の挟持リブ５ｋに挟持させ、係止爪５ｉが立った状態を保持することができる。
【００２９】
ノズル部材６は、図１、図２、図８に示すように、略円筒状のノズル６ａを有し、ノズル６ａの下部には略円錐状の頂壁６ｂが連なっている。頂壁６ｂの外周縁における前部を除く部分には、底面視円弧状をなす周壁６ｃが垂設されている。周壁６ｃにおける両側部の下端には、それぞれ、側方に突出する上部側方凸部６ｄが設けられている。頂壁６ｂの底面には、図１、図２、図９に示すように、接続部材５の嵌合周壁５ｄに径方向内側から嵌合する円筒状の嵌合内壁６ｅが垂設されている。また、頂壁６ｂの底面には、嵌合内壁６ｅの径方向内側における前部において、下方に延びる縦リブ６ｆが垂設されている。図１に示すように、縦リブ６ｆ及び頂壁６ｂの底面は、支持リブ５ｅに当接することで支持リブ５ｅに支持されるようになっている。また、嵌合内壁６ｅの内周面における前部及び後部も、支持リブ５ｅに当接することで支持リブ５ｅに支持されるようになっている。頂壁６ｂにおける後部には、接続部材５の係止爪５ｉを係止する係止孔６ｇが設けられている。
【００３０】
ノズル６ａの後部には、図１、図３、図８に示すように、後方に延びる操作部６ｈが連なっている。操作部６ｈは、後方に向かってやや下方に傾斜すると共に前部が幅狭に形成された平板状の支持レバー６ｉと、該支持レバー６ｉの後部に設けられた側面視円弧状の指掛け部６ｊとを有している。また、支持レバー６ｉの下面には、下方に向けてやや後方に傾斜する平板状の後部案内壁６ｋが垂設されている。支持レバー６ｉ及び後部案内壁６ｋは、上下方向に延びるリブによって、ノズル６ａの下部、頂壁６ｂ及び周壁６ｃに連結され、支持されている。
【００３１】
ノズル部材６における前部には、図１、図８、図９に示すように、頂壁６ｂから垂下する支持壁６ｌが設けられている。支持壁６ｌは、左右方向及び上下方向に延在する平板状をなしている。また、支持壁６ｌにおける前面には、左右方向中央において上下方向に延びる補強リブ６ｍが設けられている。なお、補強リブ６ｍを設けない構成としてもよい。
【００３２】
支持壁６ｌの下端における前部には、下部アンカー８が連なっている。下部アンカー８は、後述する上部アンカー１０の下方に位置している。また、下部アンカー８は、支持壁６ｌの下端における前部に沿って設けられた下部ヒンジ８ａと、該下部ヒンジ８ａを介して揺動可能であると共に係止段部３ｍに係止可能な係止壁８ｂとを有している。係止壁８ｂは、下部ヒンジ８ａから前方に延びる底壁８ｃと、該底壁８ｃから前方且つ上方に延びると共に係止段部３ｍに係止可能な傾斜壁８ｄと、底壁８ｃから上方に延びる係合凸部８ｅとを有している。本例では、底壁８ｃ及び傾斜壁８ｄは、それぞれ平板状をなしている。また、係合凸部８ｅは、本例では、傾斜壁８ｄに連なると共に、傾斜壁８ｄよりも上方に突出している。さらに、係合凸部８ｅは、底壁８ｃ及び傾斜壁８ｄよりも左右方向の幅が狭くなっている。
【００３３】
本例では、下部アンカー８には、補助凸部９が連なっている。補助凸部９は、図１に示すように係止壁８ｂが係止段部３ｍに係止した状態から、係止壁８ｂが下部ヒンジ８ａを介して前方に揺動すると、固定盤３（本例では、内壁３ｃにおける前部の前面上端）に当接して係止壁８ｂの更なる揺動を阻止するように、係止壁８ｂから下方に延びている。本例では、補助凸部９は、平板状をなしている。
【００３４】
ノズル部材６における前部には、図１、図４、図８、図９に示すように、頂壁６ｂに形成された一対の前後方向に延びるスリット６ｎが設けられている。一対のスリット６ｎの間には、上部アンカー１０が設けられている。上部アンカー１０は、上部ヒンジ１０ａと、該上部ヒンジ１０ａを介して揺動可能であると共に下部アンカー８と係合可能な係合壁１０ｂとを有している。より具体的には、係合壁１０ｂは、係合凸部８ｅと係合可能である。上部ヒンジ１０ａは、本例では、一対のスリット６ｎの根元部の間を直線状に延在している。係合壁１０ｂは、本例では、その外周面が上面視円弧状をなしており、且つ、その前側の上部が平面状に斜めにカットされた形状をなしている。
【００３５】
ノズル６ａの上端部には、図１に示すように、上方に向かって後方に傾く底板６ｏが連なっている。底板６ｏは、前方やや上方から視たときに（すなわち、図１（ａ）における矢印Ａに沿って視たときに）縦長の略長円形状をなすと共に、ノズル６ａの上端との連結部分より外側のみに形成されている。すなわち、ノズル６ａの上端には上端開口６ｐが形成されている。底板６ｏの外周縁近傍には、底板６ｏの外周縁に沿って配置されると共に底板６ｏから垂直に延びる周状凸部６ｑが設けられている。周状凸部６ｑの内側における底板６ｏの上面には、上端開口６ｐを包囲する環状凹部６ｒが設けられている。なお、本例では、ノズル部材６は、樹脂の射出成形によって形成されている。
【００３６】
塗布部材７は、図１に示すように、吐出口７ａと該吐出口７ａを包囲するように配置された塗布部７ｂとを有する頂板７ｃを有している。前方やや上方から視たときに（すなわち、図１（ａ）における矢印Ａに沿って視たときに）、頂板７ｃの外形は、縦長の略長円形状をなしており、吐出口７ａは、上方に向けて幅広となる略三角形状をなしている。塗布部７ｂは、本例では、環状に配置された複数の突起からなるブラシで構成されている。また、頂板７ｃの下面（背面）には、ノズル部材６の周状凸部６ｑに外側から嵌合する外周凸部７ｄと、周状凸部６ｑに内側から嵌合する内周凸部７ｅとが周設されている。さらに、頂板７ｃの下面（背面）には、吐出口７ａに沿って全周に亘って配置されると共にノズル部材６の環状凹部６ｒに嵌合するシール凸部７ｆが垂設されている。本例では、シール凸部７ｆと環状凹部６ｒとの全周に亘る嵌合によってシール部が形成されると共に、周状凸部６ｑと外周凸部７ｄ及び内周凸部７ｅとの全周に亘る嵌合によっても、追加的なシール部が形成されているが、いずれか一方のみでシール部を形成すればよい。すなわち、シール凸部７ｆ及び環状凹部６ｒと、周状凸部６ｑ、外周凸部７ｄ及び内周凸部７ｅとのいずれか一方のみが全周に亘って設けられていてもよい。また、本例では、塗布部材７は、例えばゴム、熱可塑性エラストマー等の弾性材料の射出成形によって形成されている。そして、塗布部７ｂは、頭髪等の毛髪を梳く際に毛髪を滑らかに通過させる弾性を有している。しかし、塗布部材７は、ノズル部材６等と同様の剛性を有するように、樹脂の射出成形によって形成してもよい。
【００３７】
本実施形態に係る吐出容器１によれば、吐出具４を容器体２に取付ける際には、図１０〜図１１に示すように、下部アンカー８を上部壁３ｎに押しつけて後方に変形させる（より具体的には、係止壁８ｂにおける傾斜壁８ｄを下部ヒンジ８ａを介して後方に揺動させる）ことで、吐出具４をステム２ａに向けて下降させることが可能となる。そして、図１２に示すように、吐出具４をステム２ａに接続すると、下部アンカー８が前方に変形（より具体的には、係止壁８ｂにおける傾斜壁８ｄが下部ヒンジ８ａを介して前方に揺動）して係止段部３ｍに係止することができる。なお、本例では、吐出具４を下降させる際には、固定盤３の両側方に位置する一対の押圧操作部３ｈを押圧し、操作片３ｆを揺動させることで、吐出具４の側方係合凸部４ａを下降させることができ、吐出具４をステム２ａに接続したときに操作片３ｆを復帰させ、側方係合凸部４ａを操作片３ｆの係合窓３ｅ内に配置することができる。
【００３８】
そして、吐出具４は、下部アンカー８が係止段部３ｍに係止した状態では、操作部６ｈを（より具体的には、指掛け部６ｊに指を掛けて）下方へ操作すると、ステム２ａを押下げ、ステム２ａから流出する内容物を吐出する（より具体的には、吐出口７ａから吐出する）ことができる。なお、図１２において、ステム２ａを押下げたときのステム２ａの上面を二点鎖線で示す。また、このとき、本例では、下部アンカー８の下方に補助凸部９が連結されているので、操作部６ｈの下方への操作に伴い下部アンカー８が前方に変形したとしても、補助凸部９が固定盤３に当接して下部アンカー８の更なる変形を阻止するので、下部アンカー８と係止段部３ｍとの係止を安定して保持することができる。また、吐出具４は、操作部６ｈの下方への操作により、下部アンカー８と係止段部３ｍとの係止部を中心に下方へ揺動することになるが、本例では、後方においては吐出具４の後部案内壁６ｋが固定盤３の案内部３ｊによって案内されることが可能であり、また、両側部においては吐出具４の側方係合凸部４ａが固定盤３の係合窓３ｅによって案内されることが可能であるので、安定した揺動操作が可能となる。
【００３９】
また、洗浄などの目的で吐出具４を容器体２から取外す際には、図１２に示したように下部アンカー８が係止段部３ｍに係止した状態から、図１３に示すように操作部６ｈを上方へ操作して吐出具４を傾け、上部アンカー１０を上部壁３ｎに押しつけることで、上部アンカー１０及び下部アンカー８が後方に変形し、吐出具４を容器体２から取外すことが可能となる。このとき、本例では、係合壁１０ｂが上部ヒンジ１０ａを介して後方に揺動し、下部アンカー８と係合することで（より具体的には、係合壁１０ｂが係合凸部８ｅと係合することで）、下部アンカー８を後方に変形した状態に保持することができる。したがって、このままの状態で、吐出具４を上方に引き抜くことで、吐出具４を容易に容器体２から取外すことができる。なお、吐出具４の洗浄に際しては、接続部材５の底部壁５ｃの底面における前部に突設された把持リブ５ｌを把持して底部壁５ｃを、後部ヒンジ５ｈを介して揺動させることにより、底部壁５ｃを開いて吐出具４の内部を容易に洗浄することができる。
【００４０】
このように、本実施形態に係る吐出容器１によれば、吐出具４の取付け時は押し込むだけ、また、吐出具４の取外し時は操作部６ｈを上方へ操作するだけという容易な動作で吐出具４を容器体２に着脱することができる。
【００４１】
以上、本発明の一実施形態について説明したが、前述したところは本発明の実施形態の一例を示したにすぎず、発明の要旨を逸脱しない限り、種々の変更を加えてよいことは言うまでもない。
【００４２】
例えば、容器体のステム（及び接続部材の嵌合筒）は１つであってもよいし、３つ以上であってもよい。また、吐出具は、接続部材、ノズル部材及びブラシ部材の３つの部品からなる構成に限られない。その他、種々の変更が可能である。
【符号の説明】
【００４３】
１    吐出容器
２    容器体
２ａ  ステム
２ｂ  外容器
２ｃ  環状凸部
２ｄ  環状突出部
２ｅ  上部突起
３    固定盤
３ａ  外周壁
３ｂ  内向きフランジ
３ｃ  内壁
３ｄ  位置決め片
３ｅ  係合窓
３ｆ  操作片
３ｇ  連結部
３ｈ  押圧操作部
３ｉ  湾曲部
３ｊ  案内部
３ｋ  開孔
３ｌ  前壁
３ｍ  係止段部
３ｎ  上部壁
４    吐出具
４ａ  側方係合凸部
５    接続部材
５ａ  嵌合筒
５ｂ  当接壁
５ｃ  底部壁
５ｄ  嵌合周壁
５ｅ  支持リブ
５ｆ  下部側方凸部
５ｇ  位置決め凸部
５ｈ  後部ヒンジ
５ｉ  係止爪
５ｊ  嵌合リブ
５ｋ  挟持リブ
５ｌ  把持リブ
６    ノズル部材
６ａ  ノズル
６ｂ  頂壁
６ｃ  周壁
６ｄ  上部側方凸部
６ｅ  嵌合内壁
６ｆ  縦リブ
６ｇ  係止孔
６ｈ  操作部
６ｉ  支持レバー
６ｊ  指掛け部
６ｋ  後部案内壁
６ｌ  支持壁
６ｍ  補強リブ
６ｎ  スリット
６ｏ  底板
６ｐ  上端開口
６ｑ  周状凸部
６ｒ  環状凹部
７    塗布部材
７ａ  吐出口
７ｂ  塗布部
７ｃ  頂板
７ｄ  外周凸部
７ｅ  内周凸部
７ｆ  シール凸部
８    下部アンカー
８ａ  下部ヒンジ
８ｂ  係止壁
８ｃ  底壁
８ｄ  傾斜壁
８ｅ  係合凸部
９    補助凸部
１０  上部アンカー
１０ａ  上部ヒンジ
１０ｂ  係合壁
【図１】
2018140834.tif 000003
【図２】
2018140834.tif 000004
【図３】
2018140834.tif 000005
【図４】
2018140834.tif 000006
【図５】
2018140834.tif 000007
【図６】
2018140834.tif 000008
【図７】
2018140834.tif 000009
【図８】
2018140834.tif 000010
【図９】
2018140834.tif 000011
【図１０】
2018140834.tif 000012
【図１１】
2018140834.tif 000013
【図１２】
2018140834.tif 000014
【図１３】
2018140834.tif 000015